(57)【特許請求の範囲】
【請求項１】
洗浄ヘッドの水車室内に水車を回転可能に配設するとともに、該水車に対して回転ブラシを減速機を介して作動的に連結し、該回転ブラシを該水車にて回転駆動するようになした回転式洗浄機において、
前記水車室及び減速機室をそれぞれ実質的に閉鎖された独立した水車室及び減速機室となして、該減速機室を該水車室に隣接して配設し、前記減速機の回転軸を前記回転ブラシのブラシベースに連結するとともに、該減速機室の周囲に排水スペーサ部材を配設して該排水スペーサ部材に、該減速機室の周囲を通る、前記水車室からの排水を流す排水路を設けたことを特徴とする回転式洗浄機。
【請求項２】
請求項１に記載の回転式洗浄機において、前記排水路は前記減速機室の周方向に延びており、前記水車室からの排水を該減速機室の周方向に導くものとされていることを特徴とする回転式洗浄機。
【請求項３】
請求項２に記載の回転式洗浄機において、前記排水路は前記減速機室のほぼ全周に亘って延びていることを特徴とする回転式洗浄機。
【請求項４】
請求項３に記載の回転式洗浄機において、前記排水路における放出口が前記減速機室のほぼ全周に亘って形成されていることを特徴とする回転式洗浄機。
【発明の詳細な説明】
【０００１】
【発明の属する技術分野】
この発明は浴室洗浄用，キッチンシンク洗浄用，トイレ洗浄用或いはボデーブラシ等として好適な回転式洗浄機に関し、詳しくは水圧を利用して水車を回転させ、その水車の回転駆動力により回転ブラシを回転動作させることで洗浄を行う形式の回転式洗浄機に関する。
【０００２】
【従来の技術】
従来、洗浄ヘッドの水車室内に水車を回転可能に配設するとともに、水車に対して回転ブラシを減速機を介して作動的に連結し、回転ブラシを水車の回転駆動力で回転運動させて洗浄を行う形式の回転式洗浄機が公知である。
【０００３】
この種の回転式洗浄機として、
（イ）水車室が開放空間とされていてその内部に水車或いは水車とともに減速機のギヤが配設され、水車に当った後の排水がそのまま水車室から回転ブラシに向けて排水されるもの
（ロ）水車を回すのに用いられた排水が洗浄ヘッドのヘッド本体から直接外部に排水されるもの
（ハ）水車を回すのに用いられた排水が洗浄ヘッドのヘッド本体から導水路を通じて別の場所へと導かれるもの
等が知られている。
【０００４】
【発明が解決しようとする課題】
しかしながら上記（イ）の形式の回転式洗浄機の場合、ノズルから噴出された水が水車に当った後、速やかに排水されてしまうため、噴出水の持つエネルギーを有効に利用できず、エネルギーの利用効率が低いといった問題があり、更に同じ水車室の開放空間内に減速機のギヤが配設されている場合には、その同じ空間内にあるギヤに対して直接水がかかってしまって、ギヤとギヤとの間に水が介在する状態となり、これによりギヤの摺動性が悪くなったり、或いは長い間にギヤ表面に水垢等が付着してギヤの摺動性が悪くなるといった問題があった。
【０００５】
他方上記（ロ）の形式の回転式洗浄機の場合、排水が周囲に飛び散る可能性があり、また洗浄面に水をかけたいときにも水を洗浄面にうまくかけることができないといった問題があった。
【０００６】
この形式の回転式洗浄機において、減速機室が独立した空間として設けられている場合、その減速機のギヤに対して排水が降りかかるということはないが、減速機は高回転で回転しており、減速機室の温度が上昇してしまうといった問題がある。
【０００７】
一方上記（ハ）の形式の回転式洗浄機の場合、ノズルからの噴出水は水車を回すための動力としてのみ使用されており、洗浄のために用いることができないといった問題がある。
また（ロ）の形式の回転式洗浄機と同様に高速で回転する減速機の温度が上昇してしまう問題があった。
【０００８】
【課題を解決するための手段】
本願の発明はこのような課題を解決するためになされたものである。
而して請求項１の回転式洗浄機は、洗浄ヘッドの水車室内に水車を回転可能に配設するとともに、該水車に対して回転ブラシを減速機を介して作動的に連結し、該回転ブラシを該水車にて回転駆動するようになした回転式洗浄機において、前記水車室及び減速機室をそれぞれ実質的に閉鎖された独立した水車室及び減速機室となして、該減速機室を該水車室に隣接して配設し、前記減速機の回転軸を前記回転ブラシのブラシベースに連結するとともに、該減速機室の周囲に排水スペーサ部材を配設して該排水スペーサ部材に、該減速機室の周囲を通る、前記水車室からの排水を流す排水路を設けたことを特徴とする。
【０００９】
請求項２の回転式洗浄機は、請求項１に記載の回転式洗浄機において、前記排水路は前記減速機室の周方向に延びており、前記水車室からの排水を該減速機室の周方向に導くものとされていることを特徴とする。
【００１０】
請求項３の回転式洗浄機は、請求項２に記載の回転式洗浄機において、前記排水路は前記減速機室のほぼ全周に亘って延びていることを特徴とする。
【００１１】
請求項４の回転式洗浄機は、請求項３に記載の回転式洗浄機において、前記排水路における放出口が前記減速機室のほぼ全周に亘って形成されていることを特徴とする。
【００１２】
【作用及び発明の効果】
上記のように請求項１の回転式洗浄機は、水車室及び減速機室をそれぞれ独立した室として設けた上、減速機の回転軸を回転ブラシのブラシベースに連結し、そして水車室からの排水を流す排水路を、減速機室の周囲を通るように設けたもので、この回転式洗浄機の場合、水車室が実質的に閉鎖された独立した室として構成されているため、ノズルから噴出された水が水車室の流出口に到達するまでの間水車を回転駆動するための動力として働くため、エネルギー効率が高い利点を有する。
【００１３】
また減速機室も独立した室とされているために減速機内部に水は浸入せず、従ってギヤの間に水が介在して摺動性が悪化したり、或いはギヤ表面に水垢等が付着して同じく摺動性が悪化するといった問題を生じない。
加えて本発明では水車室からの排水が減速機室の周囲を通るため、その排水の冷却作用によって減速機室の温度上昇が抑制される効果が得られる。
【００１４】
本発明ではまた、減速機室の周囲に排水スペーサ部材を配設してその排水スペーサ部材に排水路を形成しており、このようにすれば、減速機室の周囲を通る排水路を容易に設けることができる。
ここで排水スペーサ部材はリング状となしておくことができる。
【００１５】
請求項２のものは、上記排水路を減速機室の周方向に延びる形態となしたもので、この回転式洗浄機の場合、水車室からの排水を減速機室の周方向に流通させるものであることから、減速機室をその排水にてより効果的に冷却することができる。
【００１６】
この場合においてその排水路は、減速機室のほぼ全周に亘って延設しておくことができる（請求項３）。
このようにすれば排水による減速機室の冷却効果を一段と高めることができる。
尚ここでほぼ全周とは３／４周以上を意味する。
【００１７】
請求項４のものは、上記排水路を減速機室のほぼ全周に亘って設けた場合において、その放出口を減速機室のほぼ全周に亘って形成したもので、このようにした場合、排水を満遍なく散水することができるとともに、排水路を通じて減速機室周りを巡った排水をその回り先でそのまま排水することができ、排水効率が高い利点が得られる。
【００１８】
【実施例】
次に本発明の実施例を図面に基づいて詳しく説明する。
図１において、１０は回転式洗浄機における握りシャフトで、１２はその先端に設けられた洗浄ヘッドである。
洗浄ヘッド１２は回転ブラシ１４を有しており、その回転ブラシ１４の回転運動によって洗浄面を洗浄するようになっている。
ここで回転ブラシ１４は、ブラシ１６とこれを保持するブラシベース１８とから成っている。
【００１９】
上記握りシャフト１０の内部には、図２（Ａ）に示しているように水路２０が形成されており、握りシャフト１０に接続されたホースを通じて供給された水が、この水路２０を通じて洗浄ヘッド１２へと導かれるようになっている。
尚、ブラシ１６は同図に示しているように全体として略円筒形状をなしている。即ちブラシベース１８の円周に沿ってブラシ１６が保持されている。
【００２０】
図２及び図３は上記洗浄ヘッド１２の内部構造を表している。
これらの図に示しているように、洗浄ヘッド１２はヘッド本体２２と、その内部に納められた水車２４、水車２４の回転駆動力を回転ブラシ１４におけるブラシベース１８に対し減速して伝達する減速機２６とを有している。
ここで水車２４は、ヘッド本体２２に一体的に固設された軸２８の周りに回転可能に設けられている。
【００２１】
この水車２４の周りにはリング部材３０が配設されており、図２（Ｂ）に示しているようにそのリング部材３０とヘッド本体２２及びその下側に配設された減速機２６のギヤボックス３２との間に、実質的に閉鎖された形態の（後述するノズル５８及び流出口６０を除いて）独立した水車室３４が形成されており、そこに水車２４が回転可能に納められている。
【００２２】
尚、ギヤボックス３２はヘッド本体２２の下側からねじ込まれたギヤ押え３６によりヘッド本体２２に固定されている。
このギヤボックス３２の内部には、実質的に閉鎖された形態の減速機室３８が形成されており、そこに各種ギヤが収容されている。
【００２３】
ここでギヤボックス３２の円筒形状の周壁部内面には、図４に示しているように周方向に沿って係合歯４０が連続して形成されている。
即ちギヤボックス３２の周壁部がギヤとして構成されている。
【００２４】
上記水車２４の下向きの軸４２には、第一サンギヤ４４が一体回転状態に連結されている。
更にこの第一サンギヤ４４に対して、ギヤボックス３２内部において複数（この例では３個）の第一プラネタリギヤ４６が噛み合わされている。即ち第一プラネタリギヤ４６の外周面に形成された係合歯４０が、第一サンギヤ４４の係合歯４０に係合させられている。
これら第一プラネタリギヤ４６はまた、ギヤボックス３２内周面に形成された係合歯４０に対しても噛み合わされている。
【００２５】
本例においてこれら複数の第一プラネタリギヤ４６は、第一サンギヤ４４が水車２４とともに回転したとき、互いに自転運動しながら第一サンギヤ４４及び水車２４の軸心周りに公転運動する。
【００２６】
上記第一サンギヤ４４及び第一プラネタリギヤ４６の下側には、第一伝達板４７が回転可能に配設されている。
この第一伝達板４７は、各第一プラネタリギヤ４６に対応した上向きのピン４８を有しており、これらピン４８が各第一プラネタリギヤ４６の中心孔内に相対回転可能に嵌入している。
従って第一伝達板４７は、第一プラネタリギヤ４６の公転運動と同一回転数で一体に回転運動する。
【００２７】
第一伝達板４７の中心部には、第二サンギヤ５０が下向きに一体に設けられている。
そしてこの第二サンギヤ５０に対して複数（この例では３個）の第二プラネタリギヤ５２が、それらの係合歯４０において互いに噛み合わされている。
【００２８】
この第二プラネタリギヤ５２もまた、ギヤボックス３２内周面の係合歯４０に対し噛み合わされている。
従って第一伝達板４７が回転運動すると、これに伴って第二プラネタリギヤ５２が自転運動しながら水車２４の軸心周りに公転運動する。
【００２９】
これら第二サンギヤ５０及び第二プラネタリギヤ５２の更に下側には、第二伝達板５４が回転可能に配設されている。
この第二伝達板５４もまた上向きの複数のピン４８を有しており、それぞれが第二プラネタリギヤ５２の中心孔内に相対回転可能に嵌入している。
従って第二プラネタリギヤ５２が公転運動すると、これと一体に第二伝達板５４が回転運動する。
【００３０】
この第二伝達板５４からは、中心部において下向きに軸（回転軸）５６が突き出していて、その軸５６がブラシベース１８に連結されており、ブラシベース１８が即ち回転ブラシ１４全体が第二伝達板５４と一体に回転運動する。
【００３１】
図２に示しているように、上記リング部材３０には握りシャフト１０内部の水路２０及び水車室３４内に連通する状態でノズル５８が形成されている。
水路２０を通じて所定水圧で送られて来た水は、このノズル５８から水車２４に向けて勢い良く噴出され、これにより水車２４が回転運動させられる。
【００３２】
リング部材３０にはまた、水車室３４に連通する状態で流出口６０が形成されており、水車室３４からの排水がこの流出口６０から流出するようになっている。
【００３３】
尚、図２（Ｂ）に示しているようにノズル５８から噴出された水は水車室３４を約３００°回転した後流出口６０から流出する。ノズル５８及び流出口６０の配設位置がそのように選ばれている。
【００３４】
洗浄ヘッド１２の内部には、ギヤボックス３２の周壁部外周面を取り囲むようにしてリング状の排水スペーサ部材６２が配設されている。
ここで排水スペーサ部材６２は、上記ギヤ押え３６によりギヤボックス３２とともにヘッド本体２２に固定されている。
【００３５】
上記減速機２６におけるギヤボックス３２の上板には、図２（Ｂ）及び図３（Ａ）に示すようにリング部材３０における流出口６０直下の位置に貫通の開口６３が形成されており、更にこの開口６３に続く直下位置において排水スペーサ部材６２に下向きの排水路６４が形成されている。
【００３６】
この排水路６４は、排水スペーサ部材６２を上下方向に貫通するように延びており、その下面において周方向に円弧状をなすスリット状の放出口６６が形成されている。
この放出口６６は、回転ブラシ１４におけるブラシベース１８の上面に対向して開口している。
【００３７】
この回転ブラシ１４におけるブラシベース１８は、その上面が浅い容器状即ちトレー状をなしており、その底部には全周に亘って小孔から成る通孔６８が設けられており、放出口６６からブラシベース１８の上面に放出された排水が、それら通孔６８を通じてブラシ１６の内側に流出するようになっている。
【００３８】
本例の回転式洗浄機の場合、握りシャフト１０の水路２０を通じて送られて来た水が、ノズル５８から所定水圧で水車室３４内の水車２４に向けて噴出される。
これにより水車２４が回転させられ、そしてその回転駆動力が減速機２６を介して減速された上で回転ブラシ１４に伝達されて回転ブラシ１４が回転動作し、洗浄面を洗浄動作する。
【００３９】
ここでノズル５８から噴出されて水車２４に当った水は、水車室３４内を図２（Ｂ）中矢印で示す方向に従って周方向に流れ、そして流出口６０から流出した後、排水スペーサ部材６２に形成された排水路６４内に流れ込み、そして下面の放出口６６からブラシベース１８の上面に放出される。即ち水車室３４からの排水が減速機室３８の周囲を下向きに流れた上、ブラシベース１８の上面に放出される。
【００４０】
ブラシベース１８の上面に放出された排水は、引き続いて通孔６８を通じて下向きに散水され、洗浄面へと供給される。
尚通孔６８からの排水はブラシ１６の外周よりも内側に供給される。
【００４１】
以上のような本例の回転式洗浄機は、水車室３４が実質的に閉鎖された独立した室として構成されているため、ノズル５８から噴出された水が水車室３４の流出口６０に到達するまでの間水車２４を回転駆動するための動力として働くため、エネルギー効率が高い利点を有する。
【００４２】
また減速機室３８も独立した室とされているため、減速機２６内部に水は浸入せず、従ってギヤの間に水が介在して摺動性が悪化したり、或いはギヤ表面に水垢等が付着して同じく摺動性が悪化する問題を生じない。
加えて本例では水車室３４からの排水が減速機室３８の周囲を通るため、その排水の冷却作用によって減速機室３８の温度上昇を抑制できる効果が得られるとともに、水車室３４からの排水を減速機２６のギヤにかけることなく回転ブラシ１４に供給し、そのまま洗浄面に散水することができる。これによって汚れを落すと同時にその水によって汚れを洗い流すことができ、洗浄効率を高めることができる。
【００４３】
また本例のものはその排水をブラシ１６の外周よりも内側に放出するため、洗浄面に排水を良好に供給散水しつつその排水がブラシ１６の外へ飛び散るのを抑制することができる。
【００４４】
その他本例では、ブラシベース１８の上面をトレー状となしているため、特定の１ヶ所の放出口６６から排水を放出したとしてもブラシベース１８の上面全体に排水を均等に行き渡らせることができる。
【００４５】
これによりブラシ１６全体に排水を供給できるとともに、減速機２６からの伝熱等によってブラシベース１８が温度上昇する場合にもその水の冷却効果によってこれを抑制することができる。
【００４６】
本例の回転式洗浄機では、排水路６４における排水の放出口６６をスリット状の開口となし、放出口６６からの放出水を分散して放出する。従って排水が洗浄面にぶつかった際の排水の飛散りを少なくできる。
【００４７】
図５は本発明の他の実施例を示したものである。
図示のようにこの例では、減速機室３８の全周を取り巻く形態の環状の排水路７０を排水スペーサ部材６２に形成し、そしてその排水路７０に連通するようにして、多数の小孔７２から成る放出口７４を同じく減速機室３８周りの全周に亘って設けたものである。
【００４８】
この例の回転式洗浄機の場合、水車室３４から流出した排水は環状の排水路７０に流れ込み、そしてその環状の排水路７０に沿って減速機室３８周りを周方向に流れながらこれに連通する放出口７４からブラシベース１８の上面に放出される。
【００４９】
この回転式洗浄機の場合、減速機室３８を排水にてより効果的に冷却することができる。
また放出口７４を減速機室３８の全周に亘って形成しているため、排水を全周に亘って満遍なく散水することができるとともに、減速機室３８周りを巡った排水をその回り先でそのまま排水でき、排水効率が高い利点を有する。
【００５０】
尚この例では放出口７４を多数の小孔７２にて構成しているが、図６に示しているように円環状且つスリット状の開口にて放出口７６を構成することも可能である。
【００５１】
以上本発明の実施例を詳述したがこれはあくまで一例示である。
例えば本発明においては回転ブラシ１４を減速機２６の回転軸に対して脱着可能となすことができ、このようにすると回転ブラシ１４を取り外した状態で放出口６６（７４，７６）からの排水を洗浄面に散水でき、洗浄面における洗浄後の汚れの洗流しを効率良く行うことができるといった効果が得られる。
その他本発明はその主旨を逸脱しない範囲において種々変更を加えた形態で構成可能である。
【図面の簡単な説明】
【図１】本発明の一実施例である回転式洗浄機の外観図である。
【図２】同じ実施例の回転式洗浄機の要部縦断面図と要部横断面図である。
【図３】図２とは異なる部位の要部縦断面図及び要部横断面図である。
【図４】図２及び図３の減速機室内部を示す図である。
【図５】本発明の他の実施例の回転式洗浄機の要部縦断面図及び要部横断面図である。
【図６】本発明の更に他の実施例の回転式洗浄機の要部横断面図である。
【符号の説明】
１２  洗浄ヘッド
１４  回転ブラシ
１６  ブラシ
１８  ブラシベース
２４  水車
２６  減速機
３４  水車室
３８  減速機室
５６  軸（回転軸）
６２  排水スペーサ部材
６４，７０  排水路
６６，７４，７６  放出口
６８  通孔
７２  小孔
【図１】
0003566571.tif 000002
【図２】
0003566571.tif 000003
【図３】
0003566571.tif 000004
【図４】
0003566571.tif 000005
【図５】
0003566571.tif 000006
【図６】
0003566571.tif 000007